(57)【要約】【課題】高い機能性を具えた沐浴用ブラシの提供。【解決手段】プラスチック基材、樹脂材或いは布材で形成された止滑パッドを具え、該止滑パッドの一端面が二つのクリーニングエリアに区画され、且つ該クリーニングエリアに豚毛等で形成されたブラシ部が植え込まれ、止滑パッドの別の端面の周囲に複数の吸盤が設けられ、実際の使用時に止滑パッドが浴室の壁に設置されて若干の吸盤の吸着作用により位置決めされ、使用者が背中をブラシ部に擦り付ける方式で上下左右に移動することにより、楽に背中を洗える機能を達成する。【選択図】　　　　図１
0003097926.tif 000002
【実用新案登録請求の範囲】
【請求項１】
止滑パッドを具えた沐浴用ブラシにおいて、該止滑パッドの一端面が二つのクリーニングエリアに区画され、且つ該クリーニングエリアにブラシ部が形成され、止滑パッドの別の端面の周囲に複数の吸盤が設けられ、使用時に止滑パッドが浴室の壁に設置されて若干の吸盤の吸着作用により位置決めされ、使用者が背中をブラシ部に擦り付ける方式で上下左右に移動することにより、楽に背中を洗える機能を達成することを特徴とする、沐浴用ブラシ。
【請求項２】
請求項１記載の沐浴用ブラシにおいて、クリーニングエリア内のブラシ部及び吸盤が高周波接合方式で結合されたことを特徴とする、沐浴用ブラシ。
【請求項３】
請求項１記載の沐浴用ブラシにおいて、止滑パッドがプラスチック基材、樹脂材、或いは布材で形成されたことを特徴とする、沐浴用ブラシ。
【請求項４】
請求項１記載の沐浴用ブラシにおいて、ブラシ部が豚毛等の硬い動物の毛で形成されたことを特徴とする、沐浴用ブラシ。
【考案の詳細な説明】
【０００１】
【考案の属する技術分野】
本考案は新規で且つ環境保護訴求に符合するＰＶＣを止滑パッド素材とし、並びに止滑パッドの表面に、使用者が背中を洗うのに便利なブラシ部が設けられ、止滑パッドの背面に吸着用の複数の吸盤が設けられ、沐浴用ブラシの実用価値が高められた、沐浴用ブラシに関する。
【０００２】
【従来の技術】
周知の沐浴用ブラシは、通常柄を具え、該柄の末端にブラシが設けられ、使用時には、使用者が柄を握持しブラシを背中に沿って往復させてクリーニング効果を達成する。このような沐浴用ブラシは通常、使用上、手を反転弯曲させてブラシを背部に至らせ、さらに不特定方向に反復移動させなければならない。このため、相当に面倒で不便である。このため老人や子供或いは行動が不自由な人にとっては、実際の操作使用上、不便なところがあり、実用性が低い。
【０００３】
さらに周知の沐浴用ブラシのブラシ部分は通常一般の人の使用に便利であるように、比較的小型のブラシが組み合わされ、軽量コンパクトとされているが、実際の使用上、ブラシ部分の面積が小さいために完全なクリーニング効果を達成できない。
【０００４】
【考案が解決しようとする課題】
全ての事柄、物品に変化が求められる現代社会にあって、伝統的な沐浴用ブラシは新しさがない。このため最近は柄の造形を人体工学に符合するよう変化させたものが提供され、実用価値を高め消費者の注意を引き、並びに製品の市場性を高めている。しかしこのような沐浴用ブラシは昔からの使用方式と効果を改変することはできず、軽量で使用に楽なクリーニング機能を達成できない。ゆえに、如何に沐浴用ブラシの実用性と価値を高めて消費者の興味を獲得するかが、本考案の解決し克服しようとする目標である。
【０００５】
本考案は上述の従来の沐浴用ブラシの欠点と使用上の不便を鑑み、それを解決する沐浴用ブラシを提供するものである。
【０００６】
ゆえに、本考案の主要な目的は、一種の沐浴用ブラシを提供することにあり、それは、使用上、便利で、簡単に楽に使えて徹底的なクリーニング効果を達成できる沐浴用ブラシであるものとする。
【０００７】
本考案のもう一つの目的は、一種の沐浴用ブラシを提供することにあり、それは、浴室の壁或いは床に設置するときに、止滑、装飾、美化の効果を有する沐浴用ブラシであるものとする。
【０００８】
【課題を解決するための手段】
請求項１の考案は、止滑パッドを具えた沐浴用ブラシにおいて、該止滑パッドの一端面が二つのクリーニングエリアに区画され、且つ該クリーニングエリアにブラシ部が形成され、止滑パッドの別の端面の周囲に複数の吸盤が設けられ、使用時に止滑パッドが浴室の壁に設置されて若干の吸盤の吸着作用により位置決めされ、使用者が背中をブラシ部に擦り付ける方式で上下左右に移動することにより、楽に背中を洗える機能を達成することを特徴とする、沐浴用ブラシとしている。
請求項２の考案は、請求項１記載の沐浴用ブラシにおいて、クリーニングエリア内のブラシ部及び吸盤が高周波接合方式で結合されたことを特徴とする、沐浴用ブラシとしている。
請求項３の考案は、請求項１記載の沐浴用ブラシにおいて、止滑パッドがプラスチック基材、樹脂材、或いは布材で形成されたことを特徴とする、沐浴用ブラシとしている。
請求項４の考案は、請求項１記載の沐浴用ブラシにおいて、ブラシ部が豚毛等の硬い動物の毛で形成されたことを特徴とする、沐浴用ブラシとしている。
【０００９】
【考案の実施の形態】
図１、２に示されるように、本考案の沐浴用ブラシは止滑パッド１を具えている。
【００１０】
該止滑パッド１はプラスチック基材、樹脂材、布材等で形成され、且つ該止滑パッドの一端面が二つのクリーニングエリア１０に区画され、且つ該クリーニングエリア１０内にブラシ部１１が植え込まれている。該ブラシ部１１は豚毛等の比較的硬い動物の毛で形成され、これにより完全且つ徹底的なクリーニング機能を提供する。該止滑パッド１の反対の端面の周囲の適当な位置に複数の吸盤１２が設けられて、確実な吸着固定による位置決め機能を提供する。また、上述のクリーニングエリア１０内に豚毛等が植え込まれて形成されたブラシ部１１及び吸盤１２は成形上は高周波接合方式により結合されて一体とされる（異なる材質の接合の場合は他の確実に結合固定できる方法が採用されうる）。
【００１１】
上述の沐浴用ブラシは実際の使用上、図３に示されるように、該止滑パッド１が浴室の壁に設置され、並びに複数の吸盤１２の吸着作用により確実に位置決めされる。これにより、使用者は背部をブラシ部１１に擦り付ける方式で上下左右に往復移動すれば簡単に楽に背部を洗うことができる。
【００１２】
さらに図４に示されるように、本考案の沐浴用ブラシの実際の使用上の別の形態によると、該止滑パッド１が浴室の床に設置され、同様に複数の吸盤１２により位置決めされ、これにより使用者が両足をクリーニングエリア１０の上に置いて多方向に往復移動させることにより、クリーニングエリア１０に植え込まれたブラシ部１１により必要なクリーニング効果が達成される。
【００１３】
当然、本考案の沐浴用ブラシの用途は以上に限られるものではなく、一般の玄関マットに運用された場合、靴底のクリーニング効果を具備し、多様な使用効果を達成できる。
【００１４】
このほか、本考案はさらに上述のブラシ部１１内に均一分布方式で僅かに突出する複数の凸点１３が設けられ、使用者が身体を移動させてクリーニングを行うと同時に、適当な按摩効果が提供され、これは図５に示されるとおりである。
【００１５】
【考案の効果】
本考案の沐浴用ブラシの構造は、止滑パッドの巧妙な運用により、複数の吸盤による吸着固定作用により良好な止滑位置決めの効果を有するのみならず、浴室の装飾美化の効果も有する。特にその大面積のブラシ部により操作に便利で楽にクリーニングできる機能を有し、老人、子供、行動の不自由な人にとっても相当に便利な設計とされる。またクリーニング作用を有するブラシ部のエリア内に均一に分布する僅かに突出する凸点により、使用上、按摩効果も提供し、従来の各種タイプの沐浴用ブラシに完全に成り代わる機能性を具備している。
【００１６】
総合すると、本考案の沐浴用ブラシはその特殊な構造により、前述の目的を達成し並びに相当の使用上の安全性と便利性の実用価値を具備し、新規性を有している。
【図面の簡単な説明】
【図１】本考案の斜視図である。
【図２】本考案の別角度からの斜視図である。
【図３】本考案の実施例表示図である。
【図４】本考案の別の実施例表示図である。
【図５】本考案のさらに別の実施例表示図である。
【符号の説明】
１　止滑パッド　　　　　１０　クリーニングエリア
１１　ブラシ部　　　　　１２　吸盤
１３　凸点
【図１】
0003097926.tif 000003
【図２】
0003097926.tif 000004
【図３】
0003097926.tif 000005
【図４】
0003097926.tif 000006
【図５】
0003097926.tif 000007